(57)【要約】【課題】本発明の課題は、たとえば地震または不適切な接触時に発生するような動的負荷に対して、蓄熱暖房装置を保護することである。【解決手段】本発明は、蓄熱コアを含むハウジングを備える蓄熱暖房装置において、蓄熱コアがハウジング内にその自重によって載っており、かつ蓄熱暖房装置が取付壁に当接する、蓄熱暖房装置であって、蓄熱暖房装置（１）が、その下側３分の１の上方に壁面固着弓形金具（２１）を利用して、蓄熱暖房装置（１）に作用する動的力を吸収するために壁に固定されており、壁面固着弓形金具（２１）がカバー（３）または内部の蓄熱コアを含む壁（４）に係留することを特徴とする、蓄熱暖房装置である。【選択図】図１
2006242558.tif 000002
【特許請求の範囲】
【請求項１】
蓄熱コアを含むハウジングを備える蓄熱暖房装置において、蓄熱コアがハウジング内にその自重によって載っており、かつ蓄熱暖房装置が取付壁に当接する、蓄熱暖房装置であって、
蓄熱暖房装置（１）が、その下側３分の１の上方に壁面固着弓形金具（２１）を利用して、蓄熱暖房装置（１）に作用する動的力を吸収するために壁に固定されており、壁面固着弓形金具（２１）がカバー（３）または内部の蓄熱コアを含む壁（４）に係留することを特徴とする、蓄熱暖房装置。
【請求項２】
壁面固着弓形金具（２１）は、少なくとも４本のネジにより取付壁に固定されていることを特徴とする、請求項１に記載の蓄熱暖房装置。
【請求項３】
壁面固着弓形金具（２１）が、曲り部（２３）の付近で取付壁に固定されていることを特徴とする、請求項１から２のうち１つ以上に記載の蓄熱暖房装置。
【請求項４】
壁面固着弓形金具（２１）の脚部（２０、２２）が、たとえば地震発生時のような強い動的力で変形することを特徴とする、請求項１から３のうち１つ以上に記載の蓄熱暖房装置。
【請求項５】
壁面固着弓形金具が蓄熱暖房装置（１）にも取付壁にも固定されず、少なくとも５０ｍｍの自由長さを有する領域（２９）に壁面固着弓形金具（２１）の変形が生ずることを特徴とする、請求項４に記載の蓄熱暖房装置。
【請求項６】
脚部（２０、２２）が異なる箇所で蓄熱暖房装置（１）に固定されることによって、蓄熱暖房装置（１）と取付壁との間の間隔が壁面固着弓形金具（２１）により調整されることを特徴とする、請求項１から５のうち１つ以上に記載の蓄熱暖房装置。
【請求項７】
壁面固着弓形金具（２１）が蓄熱暖房装置（１）内の様々な穴（２８）の中に固定されることによって、壁間隔を可変にできることを特徴とする、請求項６に記載の蓄熱暖房装置。
【請求項８】
壁面固着弓形金具（２１）の材料が少なくとも１ｍｍの強度を有することを特徴とする、請求項１から７のうち１つ以上に記載の蓄熱暖房装置。
【発明の詳細な説明】
【技術分野】
【０００１】
本発明は、蓄熱コアを含むハウジングを備える蓄熱暖房装置であって、蓄熱コアがハウジング内にその自重によって載っており、かつ蓄熱暖房装置が取付壁に当接する、蓄熱暖房装置に関する。
【背景技術】
【０００２】
独国特許出願公開第１９９３０５８７号から、断熱層によって取り囲まれ、かつ多分割型ハウジングを有する蓄熱コアを備える、電気蓄熱装置が知られている。外方へ向けられた面取り部は、ハウジング部を互いに連結するために設けられており、蓄熱コアからハウジングへの熱ブリッジが形成されない。後側のハウジング部での面取り部により、蓄熱暖房装置が脚部を介して取付壁に当接されている。
【０００３】
独国特許第８５３１４３０号から、電気蓄熱暖房装置用の保持装置が知られており、壁板に下方に支持アームが設けられている。壁板は、下方に底板に固定されている。
【０００４】
独国実用新案第７８１９９８１号から、電気蓄熱暖房装置が知られており、これは製造技術上の理由から底面設置および壁面設置用に好適なものである。そのために、容易に付加的に軸受に保持できる、壁固定レールおよび補強レールのような付加的な部品を設けている。側壁の取り外し後、補強レールは付加的に蓄熱暖房装置の中に挿入され、それによって装置は壁懸架用に改装可能である。
【発明の開示】
【発明が解決しようとする課題】
【０００５】
本発明の課題は、たとえば地震または不適切な接触時に発生するような動的負荷に対して、蓄熱暖房装置を保護することである。
【課題を解決するための手段】
【０００６】
この課題は、請求項１の特徴によって解決される。本発明の有利な実施形態は従属請求項に示されている。
【０００７】
蓄熱暖房装置は、その下側３分の１の上方に壁面固着弓形金具を利用して、蓄熱暖房装置に作用する動的力を吸収するために、壁に固定されている。壁面固着弓形金具はハウジングの内部に係留され、かつ取付壁に連結されている。蓄熱暖房装置に作用する動的力、および振動時に壁面固着弓形金具が弾性および／または塑性変形を吸収し、それによって、たとえば地震時に発生する力を吸収する。
【０００８】
本実施形態において、壁面固着弓形金具は、蓄熱暖房装置の上部領域に水平に、力を可能な限り小さく保持するために配設されている。壁面固着弓形金具は蓄熱暖房装置と連結される脚部に、ネジ止め部などをまったく設けていない領域を有する。この領域に、特に塑性および弾性変形が生じるべきである。有利な一実施態様において、この領域はすでに、たとえばアコーディオン方式または波形に変形されている。
【０００９】
蓄熱暖房装置、特に蓄熱コアの重量は固定脚または直接取付床面に載る。そのため壁面固着弓形金具は静的状態で力を吸収しない。この装置はすでに底面への取り付けによって、転倒安定性に適切に、および不適切な使用時に発生する力に対して充分に固定されている。しばしば地震により非常に強い動的負荷が、建物と共に蓄熱暖房装置にも発生する領域に、前記蓄熱暖房装置が付加的に壁面固着弓形金具によって壁に固定される。蓄熱暖房装置に作用するエネルギーを吸収するために、壁面固着弓形金具が変形用の領域を有する。
【発明を実施するための最良の形態】
【００１０】
蓄熱暖房装置１は、内部に図示しない蓄熱コアを有する。蓄熱コア周りに断熱部とハウジングが有り、このハウジングは背壁２、カバー３および壁４から構成される。側壁は図示せず、取り外している。内部には、スイッチング空間７を蓄熱暖房装置１のコアから分離する、中間壁６がある。スイッチング空間の中には、調整手段、制御−および調整ユニット８、電気連結端子部９、ヒューズ要素１０ならびに加熱体連結部１１がある。蓄熱暖房装置１は、２つの脚部１２上に取り付け底面によって係留されており、または穴５を介して取付壁に連結されている。蓄熱暖房装置１の上部領域に、蓄熱暖房装置１の開口１３を通して壁面固着弓形金具２１の脚部２０が差し込まれている。壁面固着弓形金具２１は、もう１つの脚部２２を有する。脚部２０、２２は、山形鋼２４の曲り部２３によって形成されており、弾性および塑性変形が発生するような領域を有する。山形鋼２４は、任意選択の理由から曲り部２３によって形成される、脚部２０、２２上に突出する延長部２５を有する。穴２７を介して壁面固着弓形金具２１が、脚部２０、２２の領域に壁面固着弓形金具２１の固定連結を構築するために、部分的に曲り部２３の直接近傍に有る取付壁に固定連結されている。
【００１１】
脚部２１、２２にある穴２８を介して、壁面固着弓形金具２１が蓄熱暖房装置１と回転ロックもしくは連結されている。図１に示したように、中間壁６と脚部２０の連結が生じる。脚部２２は対向して同様に蓄熱器１の壁に連結されている。
【００１２】
脚部２０、２２は、目標とする変形のために設けられ、蓄熱器または壁との固定が考慮されていない領域２９を有する。
【００１３】
最後に、本発明についてまとめると以下のようになる。
【００１４】
１．蓄熱コアを含むハウジングを備える蓄熱暖房装置において、蓄熱コアがハウジング内にその自重によって載っており、かつ蓄熱暖房装置が取付壁に当接する、蓄熱暖房装置であって、
蓄熱暖房装置（１）が、その下側３分の１の上方に壁面固着弓形金具（２１）を利用して、蓄熱暖房装置（１）に作用する動的力を吸収するために壁に固定されており、壁面固着弓形金具（２１）がカバー（３）または内部の蓄熱コアを含む壁（４）に係留することを特徴とする、蓄熱暖房装置。
【００１５】
２．壁面固着弓形金具（２１）は、少なくとも４本のネジにより取付壁に固定されていることを特徴とする、１．に記載の蓄熱暖房装置。
【００１６】
３．壁面固着弓形金具（２１）が、曲り部（２３）の付近で取付壁に固定されていることを特徴とする、１．から２．のうち１つ以上に記載の蓄熱暖房装置。
【００１７】
４．壁面固着弓形金具（２１）の脚部（２０、２２）が、たとえば地震発生時のような強い動的力で変形することを特徴とする、１．から３．のうち１つ以上に記載の蓄熱暖房装置。
【００１８】
５．壁面固着弓形金具が蓄熱暖房装置（１）にも取付壁にも固定されず、少なくとも５０ｍｍの自由長さを有する領域（２９）に壁面固着弓形金具（２１）の変形が生ずることを特徴とする、４．に記載の蓄熱暖房装置。
【００１９】
６．脚部（２０、２２）が異なる箇所で蓄熱暖房装置（１）に固定されることによって、蓄熱暖房装置（１）と取付壁との間の間隔が壁面固着弓形金具（２１）により調整されることを特徴とする、１．から５．のうち１つ以上に記載の蓄熱暖房装置。
【００２０】
７．壁面固着弓形金具（２１）が蓄熱暖房装置（１）内の様々な穴（２８）の中に固定されることによって、壁間隔を可変にできることを特徴とする、６．に記載の蓄熱暖房装置。
【００２１】
８．壁面固着弓形金具（２１）の材料が少なくとも１ｍｍの強度を有することを特徴とする、１．から７．のうち１つ以上に記載の蓄熱暖房装置。
【図面の簡単な説明】
【００２２】
【図１】壁面固着弓形金具を有する蓄熱暖房装置である。
【図２】壁面固着弓形金具である。
【図１】
2006242558.tif 000003
【図２】
2006242558.tif 000004